Podtech/llm-jp-corpus-v4-ja_patent huggingface dataset:
(57)【要約】【課題】スマートフォン、タブレット型端末器、及び携帯電話等、機器の操作の安定と安全性を高める。【解決手段】カバー１に回転軸孔２を設け、該回転軸孔２に伸縮自在の素材で形成した指通し３に回転軸４を設け、該回転軸４を前記カバー１回転軸孔２に挿入、回転方向５記載の通り３６０°左右に回転出来る様に構成されている。又、前記カバー１にマジックテープループ状７を設け、指通し３にはマジックテープフック状６を設け、該指通し３に設けたマジックテープフック状６を前記カバー１に設けたマジックテープループ状７に、左右任意に決めた操作し易い位置に取り付け出来る事も可能にしている。【選択図】図１
2013165470.tif 000002
【特許請求の範囲】
【請求項１】
スマートフォン、及びタブレット型端末器等に使用するカバーにあって、カバー裏面に本体を片手で保持出来るよう指を差し入れる筒状指通しを、利き手が左右のどちらであっても対応できるよう筒状指通しのほぼ中心をカバー裏面の適宜の位置へ回転自在に取り付ける。或いは筒状指通し裏面とカバー裏面とが接する位置へそれぞれマジックテープを設け、使用時に最も適した位置で両者を接しめ、固定するよう形成して取り付けることを特徴としたスマートフォン、及びタブレット型端末器用カバー。
【請求項２】
前記、カバー裏面へ設けるマジックテープはループ状の方を用い、筒状指通し裏面へはフック状の方を用い、それぞれが最適な位置で固定するに必要な面積を有していることを特徴とした請求項１記載のスマートフォン、及びタブレット型端末器用カバー。
【発明の詳細な説明】
【技術分野】
【０００１】本発明は、スマートフォンやタブレット型端末器、及び携帯電話等に使用するカバーに関するものである。
【背景技術】
【０００２】従来からスマートフォンやタブレット型端末器、及び携帯電話等に使用するカバーは多種多様、販売されているが、どれもが本体を傷や落下時の衝撃から保護することを目的にしており、それ以外はファッション性を追求したぐらいに留まっており、特にそれ以外の機能は持ち合わせていない。
【発明が解決しようとする課題】
【０００３】前述の内、特にスマートフォンやタブレット型端末器は、従来の携帯電話に比べ大きく重くなっている。結果、人によっては片手で保持し操作することが難しく、両手を使わざるを得なく、片手が塞がったりしている場合等、特に不便である
【課題を解決する手段】
【０００４】本発明は、スマートフォンやタブレット型端末器に取り付けるカバーであって、該カバー裏面に本体を片手で保持出来るよう指を差し入れる筒状指通しを、利き手が左右のどちらかであっても対応できるよう回転自在に取り付けてある。一方、筒状指通し裏面とカバー裏面が接する位置へ、それぞれマジックテープを設け、使用時に最適の位置で両者を接しめ固定するよう形成して取り付けた方法を用いてもよく、両方とも、使用時には筒状指通しに指を差し込み、空いた指で本体を固定すると同時に液晶画面を操作することが出来、更に指を通して固定しているので、落下の心配も解消される。
【発明の効果】
【０００５】機器操作時の安定性、及び落下防止が解消される。
【図面の簡単な説明】
【０００６】
【図１】本発明のスマートフォン、タブレット型端末器、及び携帯電話用カバーを示す縦断面図。
【図２】本発明のスマートフォン、タブレット型端末器、及び携帯電話用カバーを示す背面図。
【図３】本発明のスマートフォン、タブレット型端末器、及び携帯電話用カバー指通しにマジックテープのフック状を設けた状態を示す正面図。
【図４】本発明のスマートフォン、タブレット型端末器、及び携帯電話用カバー背面にマジックテープのループ状を取付けた状態を示す背面図。
【図５】本発明のスマートフォン、タブレット型端末器、及び携帯電話用カバー背面に指通しをマジックテープで任意の位置に貼付けた状態を示す背面図。
【図６】本発明のスマートフォン、タブレット型端末器、及び携帯電話用カバーの実施例を示す斜視図。
【発明を実施するための形態】
【０００７】本発明スマートフォン、タブレット型端末器、及び携帯電話用カバーは、本体を片手で保持出来るよう指を差し入れる筒状指通しを、利き手が左右のどちらかであっても対応出来る様回転自在に取り付け、又はマジックテープにて、使用時に最適の位置で両者を接しめ固定するよう形成し、いずれも筒状指通しを利用することで操作時の安定と安全を実現した。
【実施例】
【０００８】本発明のスマートフォン、タブレット型端末器、及び携帯電話用カバー実施例を図１〜図６に依って説明する。
カバー１に回転軸孔２を設け、該回転軸孔２に伸縮自在の素材で形成した指通し３に回転軸４を設け、該回転軸４を前記カバー１回転軸孔２に挿入、回転方向５記載の通り３６０°左右に回転出来る様に構成されている。【０００９】又、前記カバー１にマジックテープループ７を設け、指通し３にはマジックテープフック６を設け、該指通し３に設けたマジックテープフック状６を前記カバー１に設けたマジックテープループ状７に、左右任意に決めた操作し易い位置に取り付け出来る様に構成している。【００１０】前記の通り、構成の方法は相違するが、指通し３を利用し、左右任意に決めた操作し易いかつ安全性の高い位置を選び、スマートフォン、タブレット型端末器、及び携帯電話等の機器８が操作出来る。
【符号の説明】
【００１１】１：カバー
２：回転軸孔
３：指通し
４：回転軸
５：回転方向
６：マジックテープフック状
７：マジックテープループ状
８：機器
【図１】
2013165470.tif 000003
【図２】
2013165470.tif 000004
【図３】
2013165470.tif 000005
【図４】
2013165470.tif 000006
【図５】
2013165470.tif 000007
【図６】
2013165470.tif 000008
(57)【要約】【課題】  本発明は、システムキッチン、グリル付ガステーブル等々に設置されている、グリル焼網、その下のグリル水入れ皿に凝結、付着した魚、肉等の脂の焦げを手軽に取り除くための、グリル焼網・水入れ皿焦げ付着除去具を提供する。【解決手段】  持ち手周辺が長さ約２０ｃｍ程、幅２ｃｍ程の手に握り易い金属板を用い、持ち手部の手前の端部に、持ち手部に対してＴ字型のヘラ部を設け、ヘラ部の幅は持ち手部の幅より両サイドに５ミリ程度出張り、ヘラ部の長さは２ｃｍ程度に形成し、ヘラ部の中央に小さな穴を設け、持ち手部の先端部に幅４〜５ｃｍ程の摺擦部を設け、摺擦部の最先端の数ミリを裏側に折り返すようにして、Ｕ字溝条を設け、摺擦部の数センチほど手前に、１ｃｍ近く（数ミリ）の段差部を形成した事を特徴とする、グリル焼網・水入れ皿焦げ付着除去具。【選択図】図１
2013066880.tif 000002
【特許請求の範囲】
【請求項１】
持ち手周辺が長さ約２０ｃｍ程、幅２ｃｍ程の手に握り易い金属板を用い、持ち手部の手前の端部に、持ち手に対してＴ字型のヘラ部を設け、ヘラ部の幅は、持ち手部の幅より両サイドに５ミリ程度出張り、ヘラ部の長さは２ｃｍ程度に形成し、ヘラ部の中央に小さな穴を設け、持ち手部の先端部に幅４〜５ｃｍ程の摺擦部を設け、摺擦部の最先端の数ミリを裏側に折り返すようにして、Ｕ字溝条を設け、摺擦部の数センチ程手前に、１ｃｍ近く（数ミリ）の段差部を形成した事を特徴とするグリル焼網・水入れ皿焦げ付着除去具。
【発明の詳細な説明】
【技術分野】
【０００１】  本発明は、システムキッチン、グリル付ガステーブル等々に設置されている、グリル焼網、その下のグリル水入れ皿に凝結、付着した魚、肉等の脂の焦げを手軽に取り除くための、グリル焼網・水入れ皿焦げ付着除去具に関するものである。
【背景技術】
【０００２】  従来、グリル焼網、その下のグリル水入れ皿等に凝結、付着してしまった魚、肉等の脂を取り除くために、包丁のウラやスプーン等の金属類で削ぎ取るような事していたと思うがこれを取り除く器具は現在見ることが無い事である。
【発明の概要】
【発明が解決しようとする課題】
【０００３】  そのために次のような問題点があった。
（イ）  グリル焼網やその下の水入れ皿に凝結、付着した脂は案外気になるものでもあり、脂の焦げカスを包丁やスプーン等の金属類の物で取ろうとして、手をベトベトに汚しても、怪我を負うこともあり、その割に付着物は取れなかった。
（ロ）  凝結、付着したままの状態で次の物を焼こうとする時、温められた熱により凝結、付着している物が熱しられ、余分な煙や臭気が発せられ、又、焼き上がった魚や肉等にもその臭いが移る事となり、料理その物にも影響を与える事にもなる。
本発明は以上の問題点を解決しようとする為になされたものである。
【課題を解決するための手段】
【０００４】  持ち手周辺が長さ約２０ｃｍ程、幅２ｃｍ程の手に握り易い金属板を用い、持ち手部の手前の端部に、持ち手部に対してＴ字型のヘラ部を設け、ヘラ部の幅は、持ち手部の幅より両サイドに５ミリ程度出張り、ヘラ部の長さは２ｃｍ程度に形成し、ヘラ部の中央に小さな穴を設け、持ち手部の先端部に幅４〜５ｃｍ程の摺擦部を設け、摺擦部の最先端の数ミリを裏側に折り返すようにして、Ｕ字溝条を設け、摺擦部の数センチ程手前に１ｃｍ近く（数ミリ）の段差部を形成する。
以上を特徴とする、グリル焼網・水入れ皿焦げ付着除去具である。
【発明の効果】
【０００５】  本発明は、グリル焼網、その下の水入れ皿に凝結、付着した焦げカスを、Ｕ字溝条を用いて、これを上に被せて左右に動かす事により両端のＵ字でグリル焼網（乗せて焼く所）の付着物を手軽に除去する事が出来、又、ヘラ部を用いて掬うように擦ることにより、水入れ皿の付着物を手軽に除去する事が出来る。
又、このヘラ部の角を用いてグリル焼網（乗せて焼く所）以外の細かい所の付着物の除去も出来、その結果、熱しられて出ていた余分な煙や臭気も少なくなり、臭気が料理に移る事も無くなり、料理も美味しくなる事である。
【図面の簡単な説明】
【０００６】
【図１】  本発明の斜視図
【発明を実施するための最良の形態】
【０００７】  以下、本発明の実施の構成について説明する
（イ）持ち手部（４）周辺が約２０ｃｍ程、幅２ｃｍ程の握り易い金属板を用い、
（ロ）持ち手部（４）の手前の端部に持ち手部（４）に対してＴ字型の、ヘラ部（１）を設け、ヘラ部（１）の幅は、持ち手部（４）の幅より両サイドに５ミリ程度出張り、ヘラ部（１）の長さは２ｃｍ程度に形成し、
（ハ）持ち手部（４）の先端部に幅４〜５ｃｍ程の摺擦部（３）を設け、
（ニ）摺擦部（３）の最先端の数ミリを裏側に折り返して、Ｕ字溝条（５）を設け、
（ホ）摺擦部（３）の数センチ程手前に、１ｃｍ近く（数ミリ〕の段差部（２）を形成し
（ヘ）ヘラ部（１）の中央に吊るし穴（６）を設ける。
本発明は以上のような構成であり、これを実際に使用する時は
（ト）Ｕ字溝条（５）は、グルメ焼網（乗せて焼く所）の上に被せて左右に動かすことにより、付着物を除去する時に使用するものである。
（チ）摺擦部（３）は、持ち手部（４）の先端部の幅４〜５ｃｍのＵ字溝条（５）からヘラ部（１）までを左右に動かして、付着物を除去する際、Ｕ字溝条（５）に掛かる付加の強度を考慮したものである。
（リ）段差部（２）は、付着物を除去する際、裏返して使用する時に、持ち手、指の厚さが邪魔をして作業がしづらくならないように、又、持ち手部を取り上げる時に取り上げ易くする為の空間を確保したものである。
（ヌ）ヘラ部（１）は、グルメ焼網の下の、水入れ皿に付着した物を掬うように擦る事によって付着した物を除去すると共に、外にグルメ焼網（乗せて焼く所）以外の細かい部分の付着物を角お用いて除去する時に使用し、又、中央に小さな穴を設けて、未使用の時に紐などを通して保管時を考慮したものである。
（ル）付着物の除去後、布、紙等で除去物を拭き取るだけでも良いが、臭気が消えない場合は水、洗剤等を用いて洗い流す事によって、次に使用する際に、熱しられて発する煙の立ち具合や、焦げ付着による臭気が無くなり、料理がいっそう美味しくなる。
【符号の説明】
【０００８】１    ヘラ部
２    段差部
３    摺擦部
４    持ち手部
５    Ｕ字溝条
６    吊るし穴
【図１】
2013066880.tif 000003
(57)【要約】【課題】    食の分野では、昔の作物からは遥かに栄養素が劣り、形だけは同じだが、作物自体の力の無い物を食しているのが現状だ。更に食文化の変化により豊色多食により、生体のバランスは著しく偏ったものとなり、生活習慣の上で、避けられないものとなっている。それにより生活習慣病と呼ばれ、ひと昔には無い難病奇病が多発している現状である。【解決手段】   生体のバランス・解毒作用・体質改善・栄養補助の目的野草のパワーは畑等で育つ温室育ちとは訳が違う。ミネラルや葉素や酵素にビタミン群を多く含み、抗菌化力と解毒作用を持つそれらの（柿の葉、すぎな、よもぎ、たらの葉）は、アルカリ性体質へと導く事を目的とし、それに加えて第二の心臓と云われる腸を腸内細菌で整え、それを助けるオリゴ糖と、生命活動に大切な酵素群の最たるものとしてビール酵母を配合した。【選択図】  なし【特許請求の範囲】
【請求項１】
３，０００〜４，０００年伝承されてきた自然の食材（柿の葉、すぎな、よもぎ、たらの葉）を、低温（３５℃〜３８℃）で乾燥し、微粉末にし、ビール酵母粉と粉末乳酸菌とオリゴ糖を加えブレンド配合し、粉末の青汁とし、１包づつ窒素充填したことを特徴とする青汁。
【発明の詳細な説明】
【技術分野】
【０００１】
現在世間に出ているものには、ケールとか大麦若葉が主流で、その他に桑の葉、長命草、ゴーヤ、緑茶、アロエ等があるが、いずれもバランスに欠ける。
【発明の概要】
【発明が解決しようとする課題】
【０００２】
生体のバランスを整え、体質改善と解毒作用を持つ栄養補助食品としてシグナム理論に基づき自然のもので三種類の赤汁、黒汁、青汁の粉末ジュースを考案。その一種類が青汁である。
【０００３】
現在の便利社会は多量に生産でき、収入に繋がれば良いと云った目先を追う商品群が多い結果、農薬、化学肥料、食品添加物漬けの汚染大国となり、人体はおろか、自然の生体の持つ自然治癒力や回復力を妨げる結果となっている。食の分野では、昔の作物からは遥かに栄養素が劣り、形は同じだが、力の無い作物を食しているのが現状だ。更に食文化の変化により豊色多食により、豊色多食により、生体のバランスは著しく偏ったものとなり、生活習慣の上で、避けられないものとなっている。それにより生活習慣病と呼ばれ、ひと昔には無い難病・奇病が多発している現状である。食は＝生命であることを忘れている。
【課題を解決するための手段】
【０００４】
解毒作用・体質改善・栄養補助の目的野草のパワーは畑等で育つ温室育ちとは訳が違う。ミネラルや葉素や酵素にビタミン群を多く含み、更には解毒作用を持つ野草（柿の葉、すぎな、よもぎ、たらの葉）は、解毒作用とアルカリ性体質へと導く事を目的とし、それに加えて、第二の心臓と云われる腸に対する腸内細菌で腸を整え、アルカリ性食品の純黒糖を加え、生命活動に大切な酵素群の最たるものとしてのビール酵母を配合した。
【発明の効果】
【０００５】
ＳＯＤ効果、体質改善により酸性体質がアルカリ体質へと導かれ、栄養のバランスも整い、体調が変わった。
【実施例】
【０００６】
１袋に１回分３．５ｇを１００〜１２０ｃｃの水又は牛乳又は豆乳等で混ぜ、１日３回を目的に愛用してもらう事を条件とした。
(57)【要約】【課題】    食の分野では、昔の作物からは遥かに栄養素が劣り、形だけは同じだが、作物自体の力の無い物を食しているのが現状だ。更に食文化の変化により豊色多食により、生体のバランスは著しく偏ったものとなり、生活習慣の上で、避けられないものとなっている。それにより生活習慣病と呼ばれ、ひと昔には無い難病奇病が多発している現状である。【解決手段】   生体のバランス・解毒作用・体質改善・栄養補助の目的病の根源とも云える活性酵素を消去し体質改善と栄養補助食品としての目的として、無農薬又は減農薬・有機肥料で育てた、力のある赤を主体にした野菜（トマト、パプリカ、人参、小豆）のパワーに加えて、第二の心臓と云われる腸を腸内細菌で整え、それを助けるオリゴ糖と、生命活動に大切な酵素群の最たるものとしてビール酵母を配合した。【選択図】  なし【特許請求の範囲】
【請求項１】
３，０００〜４，０００年伝承されてきた自然の食材（トマト、パプリカ、人参、小豆）を、低温（３５℃〜３８℃）で乾燥し、微粉末にし、ビール酵母粉と粉末乳酸菌とオリゴ糖を加えブレンド配合し、粉末の赤汁とし、１包づつ窒素充填したことを特徴とする赤汁。
【発明の詳細な説明】
【技術分野】
【０００１】
現在世間に出ているものには単体として、トマトジュース、人参ジュース等が         主流であるが、いずれも生体的に考えるとバランスに欠ける。
【発明の概要】
【発明が解決しようとする課題】
【０００２】
生体のバランスを整え、体質改善と解毒作用を持つ栄養補助食品としてシグナム理論に基づき自然のもので三種類の赤汁、黒汁、青汁の粉末ジュースを考案。その一種類が赤汁である。
【０００３】
現在の便利社会は多量に生産でき、収入に繋がれば良いと云った目先を追う商品群が多い結果、農薬、化学肥料、食品添加物漬けの汚染大国となり、人体はおろか、自然の生体の持つ自然治癒力や回復力を妨げる結果となっている。食の分野では、昔の作物からは遥かに栄養素が劣り、形は同じだが、力の無い作物を食しているのが現状だ。更に食文化の変化により豊色多食により、豊色多食により、生体のバランスは著しく偏ったものとなり、生活習慣の上で、避けられないものとなっている。それにより生活習慣病と呼ばれ、ひと昔には無い難病・奇病が多発している現状である。食は＝生命であることを忘れている。
【課題を解決するための手段】
【０００４】
生体のバランス・解毒作用・体質改善・栄養補助の目的病の根源とも云える活性酵素を消去し体質改善と栄養補助食品としての目的として、無農薬又は減農薬・有機肥料で育てた、力のある赤を主体にした野菜（トマト、パプリカ、人参、小豆）のパワーに加えて、第二の心臓と云われる腸に対する腸内細菌で腸を整え、更にそれを助  けるオリゴ糖と、生命活動に大切な酵素群の最たるものとしてのビール酵母を配合した。
【発明の効果】
【０００５】
ＳＯＤ効果、体質改善により酸性体質がアルカリ体質へと導かれ、栄養のバランスも整い、体調が変わった。
【実施例】
【０００６】
１袋に１回分３．５ｇを１００〜１２０ｃｃの水又は牛乳又は豆乳等で混ぜ、１日３回を目的に愛用してもらう事を条件とした。
(57)【要約】【課題】    現代は保存期間や腐飾を防ぐ為等で加熱処理や薬品を添加する為に、日本古来からの自然食品による、生きた発酵食品を食べる機会に恵まれづらい環境下にある。生命活動に欠かせないのが、発酵による酵素だ。又、食の変化により昔ながらの味噌とか、醤油、漬物を食す機会が少ないのも原因の一つである。【解決手段】   生命活動に必要な自然食品による生きた発酵食品の提供と、3,000〜4,000年食べ続け伝承された先人の英知の教えにそって、五色は五臓・六腑を養う、整えるとある。生命のバランスを考慮した、天然のミネラルも配合し、ビタミン群、蛋白質等、畑のミルクと云われる豊富な栄養分を含む、現代人が必要とされる食材の提供を補う。【選択図】  なし【特許請求の範囲】
【請求項１】
三色の大豆（丹波黒大豆、白大豆、赤大豆）と二色の豆（緑豆、モロッコ）をベースにし、３８℃〜４０℃で米麹を作り、塩（ヒマラヤ岩塩）をブレンドして、１：３の比率で造り上げた味噌を特徴とする五色の恵み味噌。
【発明の詳細な説明】
【技術分野】
【０００１】
現在世間に出ているものには大豆や米や麦を主とした味噌が主流を占める。         大豆に至っては、黒か白の大豆であり、大手が使用している大豆のほとんどが 輸入物である。又、加工には昔ながらのものもあるが、一般には、加熱処理をされた大量生産出来るものがほとんどで、生命活動に必要な発酵菌は、加熱処理により死滅している事が多い。更に塩は抽出されて加熱処理されているものがほとんどだ。そのうえに食品添加物等が加わっている為、現代人は生命活動に必要な酵素不足を招来している。
【発明の概要】
【発明が解決しようとする課題】
【０００２】
中国古来から陰陽五行の教えがあり五蔵は、肺は白、赤は心臓、黒は腎臓、緑は肝臓、黄は脾臓の五色の色により整うとされている。それに基づき、大豆と豆、五色（赤、黒、白、黄、緑）を揃え、有機認定の圃場・特別栽培で育ったもの、安心安全、作物力のあるものを使用し１〜３年熟成させた昔ながらの手造りの発酵食品を造った。
【０００３】
現代人は食の変化により発酵食品の摂取が不足している。発酵食品に含まれる酵素群や栄養分は、生命活動には欠かせない、日本の元気の為、将来を担う子らの為、年長者も含め、健康を目指さねばならない。それが医療費削減となり、日本を救い、安心安全の生活環境作りとなる１つとして考えました。
【課題を解決するための手段】
【０００４】
食⇔生命です。生命活動に必要な酵素不足や栄養のバランスを解消させる為に、又、農薬化学肥料、食品添加物の害を防ぐ為の抗酸化食品として考案した。
【発明の効果】
【０００５】
美味であり、他の有害な調味料の必要がなく、安心安全な、今迄にない五色の色の入った大豆と豆による発酵食品である。
【実施例】
【０００６】
・生の野菜にそのままつけて食べると、酵素が生かされたままでおいしい。
・味噌汁に出汁はいりぼし２〜３匹でとても美味しい味となった。
・焼おむすびにして味噌をぬって食べた。
・色々な料理の隠し味として使用したら、一段と味がまろやかに美味しくなった。
(57)【要約】【課題】    食の分野では、昔の作物からは遥かに栄養素が劣り、形だけは同じだが、作物自体の力の無い物を食しているのが現状だ。更に食文化の変化により豊色多食により、生体のバランスは著しく偏ったものとなり、生活習慣の上で、避けられないものとなっている。それにより生活習慣病と呼ばれ、ひと昔には無い難病奇病が多発している現状である。【解決手段】   生体のバランス・解毒作用・体質改善・栄養補助の目的血液をサラサラにし、抗酸化力と解毒作用と栄養補助食品としての目的として、無農薬又は、減農薬、有機肥料で育てた力のある黒を主体とした野菜（黒ごま、黒大豆）に海草（ヒジキ）を入れ、更に解毒作用の力を持つ炭を加え、第二の心臓と云われる腸を腸内細菌で整え、アルカリ性食品の純黒糖と、生命活動に大切な酵素群の最たるものとしてビール酵母を配合した。【選択図】  なし【特許請求の範囲】
【請求項１】
３，０００〜４，０００年伝承されてきた自然の食材（黒大豆、黒ごま、ヒジキ）を、低温（３５℃〜３８℃）で乾燥し微粒粉末にし、炭粉を加え、ビール酵母粉と粉末乳酸菌と純黒糖を加えブレンド配合し粉末の黒汁とし、１包づつ窒素充填したことを特徴とする黒汁。
【発明の詳細な説明】
【技術分野】
【０００１】
現在世間に出ているものは、黒いものとしては黒ごまとか、黒大豆のお茶やきな粉等はあるが、黒汁としてはおそらく出ていない。
【発明の概要】
【発明が解決しようとする課題】
【０００２】
生体のバランスを整え、体質改善と解毒作用を持つ栄養補助食品としてシグナム理論に基づき自然のもので三種類の赤汁、黒汁、青汁の粉末ジュースを考案。その一種類が黒汁である。
【０００３】
現在の便利社会は多量に生産でき、収入に繋がれば良いと云った目先を追う商品群が多い結果、農薬、化学肥料、食品添加物漬けの汚染大国となり、人体はおろか、自然の生体の持つ自然治癒力や回復力を妨げる結果となっている。食の分野では、昔の作物からは遥かに栄養素が劣り、形は同じだが、力の無い作物を食しているのが現状だ。更に食文化の変化により豊色多食により、豊色多食により、生体のバランスは著しく偏ったものとなり、生活習慣の上で、避けられないものとなっている。それにより生活習慣病と呼ばれ、ひと昔には無い難病・奇病が多発している現状である。食は＝生命であることを忘れている。
【課題を解決するための手段】
【０００４】
生体のバランス・解毒作用・体質改善・栄養補助の目的血液をサラサラにし、抗酸化力と解毒作用と栄養補助食品としての目的として、無農薬又は、減農薬、有機肥料で育てた力のある黒を主体とした野菜（黒ごま、黒大豆）に海草（ヒジキ）を入れ、更に解毒作用の力を持つ炭を加え、第二の心臓と云われる腸に対する腸内細菌で腸を整え、アルカリ性食品の純黒糖を加え、生命活動に大切な酵素群の最たるものとしてのビール酵母を配合した。
【発明の効果】
【０００５】
ＳＯＤ効果、体質改善により酸性体質がアルカリ体質へと導かれ、栄養のバランスも整い、体調が変わった。
【実施例】
【０００６】
１袋に１回分３．５ｇを１００〜１２０ｃｃの水又は牛乳又は豆乳等で混ぜ、１日３回を目的に愛用してもらう事を条件とした。
(57)【要約】【課題】外出先でのファックスの携帯版をケータイやスマホ間で提供する。【解決手段】ケータイスマホカメラでファックス用紙を撮影し添付Ｅメールとして相手のケータイやスマホに送りマイクロＳＤカードにコピーしそれをコンビニ記憶メディアマルチコピー機に差し込み文書プリントを選択し出力してファックス機能にした。【選択図】なし【特許請求の範囲】
【請求項１】
（イ）携帯電話やスマートフォンでＥメールの宛先を送信したい携帯電話やスマートフォンのＥメールアドレスを入力し確定を選択する。
（ロ）添付を選択しフォト撮影に設定しファックスしたい用紙をまるごと携帯電話やスマートフォンのカメラで全体撮影しそのまま添付を選択し確定を選択して送信を選択する。
（ハ）その撮影したファックス用紙を受け取る側は携帯電話やスマートフォンのデータフォルダに自動で入るのでそれをマイクロＳＤカードにコピーし取り出しコンビニの記憶メディアマルチコピー機に差し込み文書プリントを選択しＡ４ファックス用紙として出すことで従来ファックスと同じ効果が携帯電話やスマートフォン間でコンビニマルチ記憶メディアコピー機仲介により得られる。
（ニ）そのＡ４ファックス用紙に必要事項を書き込み携帯電話やスマートフォンのカメラで全体撮影しそのまま添付を選択し確定を選択して相手の携帯電話やスマートフォンのＥメールアドレスに合わせ送信を選択する。
以上の如く特徴を持つコンビニ記憶メディアマルチコピー機仲介携帯電話やスマートフォン間ファックス。
【発明の詳細な説明】
【技術分野】
【０００１】  本発明は、ケータイやスマホ間ファックスに関する。
【背景技術】
【０００２】  従来、外出先でのファックスは出来ていなかったし、また電話回線より他はなかった。【０００３】
【実用新案文献１】
実開平６−６２６６４号公報
【発明の開示】
【発明が解決しようとする課題】
【０００４】  従来、外出先でのファックスは出来ていなかったし、また電話回線より他はなかった。
【課題を解決するための手段】
【０００５】  ケータイスマホカメラでファックス用紙を撮影し添付Ｅメールとして相手のケータイスマホに送りコンビニ記憶メディアにその情報の入ったマイクロＳＤカードを差し込み文書プリントを選択しＡ４ファックス用紙として印刷して出す。
【発明の効果】
【０００６】  外出先でのファックスを可能にし、さらに電話回線を介せずに行え、ケータイやスマホ間でコンビニ記憶メディアマルチコピー機仲介でできる。
【発明を実施するための最良の形態】
【０００７】    ケータイスマホカメラでファックス用紙を撮影し添付Ｅメールとして相手のケータイスマホに送りコンビニ記憶メディアにその情報の入ったマイクロＳＤカードを差し込み文書プリントを選択しＡ４ファックス用紙として印刷して出す。
【実施例】
【０００８】    上記の如く実施される。
【産業上の利用可能性】
【０００９】    ケータイやスマホ間をコンビニ記憶メディアマルチコピー機仲介で、ファックスを行え携帯用としては産業上の利用可能性は高いと解される。
(57)【要約】      （修正有）【課題】季節や天候、又は時間帯などによる影響を最小限とし、電気自動車の航続距離を安定にする電気自動車の電気回路の構造を提供する。【解決手段】タイヤの駆動用電気回路１とタイヤの駆動用以外の電気回路２を別々に設け、それぞれの電気回路専用のバッテリーを設ける。それら専用のバッテリーは例えば、バッテリー６とバッテリー７であり、バッテリー６は走行中はモーター兼発電機３が発電した時と、停車中はコネクター４を設け、これを繋いだ時に充電され、バッテリー７は発電装置５を設け、この発電装置にて充電される。【選択図】図１
2013066353.tif 000002
【特許請求の範囲】
【請求項１】
タイヤの駆動用電気回路とタイヤの駆動用以外の電気回路を別々に設け、それぞれの電気回路内にそれぞれの電気回路専用のバッテリーを設けたことを特徴とするエンジンの動力をタイヤの駆動に参加させない電気自動車。
【請求項２】
前記それぞれの電気回路専用バッテリーは、タイヤの駆動用回路内に設けられたバッテリーは、走行中にはモーター兼発電機が発電した時と、停車中には外部電源に繋ぐコネクターを設けこれを繋いだ時に充電され、タイヤの駆動用以外の電気回路内に設けられたバッテリーは、モーター兼発電機以外の発電装置を当該電気回路内に設けてこの発電装置にて充電されることを特徴とする請求項１記載のエンジンの動力をタイヤの駆動に参加させない電気自動車。
【発明の詳細な説明】
【技術分野】
【０００１】  本発明は、エンジンの動力をタイヤの駆動に参加させない電気自動車の電気回路の構造に関する。
【背景技術】
【０００２】  従来のエンジンの動力をタイヤの駆動に参加させない電気自動車の電気回路の構造は、図２及び図３に示すようにタイヤの駆動用電気回路とタイヤの駆動用以外の電気回路が同一の電気回路内に設けられ、バッテリー又は発電機、又はその両方を共有して設けられたものである。
【発明の概要】
【発明が解決しようとする課題】
【０００３】  しかしながら、以上の技術によれば、タイヤの駆動用以外の電気回路にて、多大に電力を消費するあまり、季節や天候、又は時間帯などによりタイヤを駆動するために必要な電力量への影響が大きく、電気自動車の航続距離を著しく不安定なものにしていた。
そこで、この発明は、エンジンの動力をタイヤの駆動に参加させない電気自動車で、季節や天候、又は時間帯などにより、タイヤを駆動するために必要な電力量への影響を最小限とし、安定的な航続距離を提供することを課題とする。
【課題を解決するための手段】
【０００４】  以上の課題を解決するために、第一発明は、タイヤの駆動用電気回路とタイヤの駆動用以外の電気回路を別々に設け、それぞれの電気回路内にそれぞれの電気回路専用のバッテリーを設けたことを特徴とするエンジンの動力をタイヤの駆動に参加させない電気自動車である。
また、第二発明は、タイヤの駆動用電気回路とタイヤの駆動用以外の電気回路を別々に設け、それぞれの電気回路内にそれぞれの電気回路専用のバッテリーを設け、タイヤの駆動用電気回路内に設けられたバッテリーは、走行中はモーター兼発電機が発電した時と、停車中は外部電源に繋ぐコネクターを設けこれを繋いだときに充電され、タイヤの駆動用以外の電気回路内に設けられたバッテリーはモーター兼発電機以外の発電装置を当該電気回路内に設けてこの発電装置にて充電されることを特徴とするエンジンの動力をタイヤの駆動に参加させない電気自動車である。
【発明の効果】
【０００５】  第一発明、または第二発明によれば、エンジンの動力をタイヤの駆動に参加させない電気自動車のタイヤの駆動用電気回路とタイヤの駆動用以外の電気回路を別々に設けたことで、季節や天候、又は時間帯などにより、タイヤを駆動する為の電力量への影響が最小限となり、電気自動車の航続距離が安定的となる。
【図面の簡単な説明】
【０００６】
【図１】この発明の一実施形態を示す電気回路図の全体概略図である。
【図２】従来技術を示す電気回路図の全体概略図である。
【図３】従来技術を示す電気回路図の全体概略図である。
【発明を実施するための形態】
【０００７】  この発明の一実施形態を、図１に示す。
電気回路図１はタイヤの駆動用電気回路図の全体概略図であり、電気回路図２はタイヤの駆動用以外の電気回路図の全体概略図であり、それぞれが別々に設けられている。
この電気回路図１にはバッテリー６が設けられ、また電気回路図２にはバッテリー７が設けられている。バッテリー６を走行中に充電する為、モーター兼発電機３と停車中に充電する為、外部電源とを繋ぐコネクター４が設けられていて、バッテリー７を充電する為に発電装置５が設けられている。
【０００８】「実施形態の効果」
この実施形態によれば、タイヤの駆動用とタイヤの駆動用以外のそれぞれの電気回路を別々にすることにより、バッテリー６の電力はタイヤの駆動にのみ用いられる。したがって、季節や天候、又は時間帯などによる影響は最小限となり、電気自動車の航続距離は安定的となる。
「他の実施形態」
図１の実施形態では、バッテリー７を充電するのに発電装置５を設けていたが、他の実施形態では、バッテリー７を燃料電池のような発電装置一体型のバッテリーなどを設けることで発電装置５を設けないものでも良い。
【符号の説明】
【０００９】１    タイヤの駆動用電気回路図の全体概略図
２    タイヤの駆動用以外の電気回路図の全体概略図
３    モーター兼発電機
４    外部電源とを繋ぐコネクター
５    発電装置
６    タイヤの駆動用電気回路内のバッテリー
７    タイヤの駆動用以外の電気回路内のバッテリー
８    タイヤの駆動以外に電力が必要な物など
９    駆動用と駆動用以外の回路が共用しているバッテリー
１０  ＤＣ／ＤＣコンバーター
【図１】
2013066353.tif 000003
【図２】
2013066353.tif 000004
【図３】
2013066353.tif 000005
(57)【要約】【課題】従来の、トイレロールペーパーホルダーは、上部のペーパーカットカバー２で、引き出したロールペーパーをカットしていた。ロールペーパーの切れ味がよくなく、また、切った後のロールペーパー端面が、つかみ難い欠点があった。特に、ロールペーパーを使用して、ロールペーパー外径が小さくなると、ペーパーカットカバー２の先端が離れ、更に、切れ味が悪くなっていた。そこで、従来の、トイレロールペーパーホルダーのペーパーカットカバー２の先端に、よく切断でき、ロールペーパー先端を、つかみ易くしたロールペーパーカット板５を提供するものである。【解決手段】トイレロールペーパーホルダーのペーパーカットカバー２の先端に、先端Ｖ字状のカットエッジ５−１と、ハンドル突起５−３を有するロールペーパーカット板５を接着して解決した。【選択図】図５
2013066673.tif 000002
【特許請求の範囲】
【請求項１】
従来のトイレロールペーパーホルダーのペーパーカットカバー２の先端に、接着して使用するペーパーカッターに於いて、先端Ｖ字状のカットエッジ５−１と、ハンドル突起５−３を有するロールペーパーカット板５
【発明の詳細な説明】
【技術分野】
【０００１】本発明は、ロールペーパーカット板に関するものである。
【背景技術】
【０００２】従来の一般的な、トイレロールペーパーホルダーについて図１、図２で説明する。
図１は、従来のトイレロールペーパーホルダーの見取り図を示す。図２は、その側面図である。ロールペーパーホルダー３には、ロールペーパー１がセットされ、ペーパーカットカバー２が、回動自在に取り付けられている。ロールペーパー１を、引き出し、ペーパーカットカバー２を手で押さえながら、斜め上方に引き上げ、カットされる。なかなか、切れ味がよくない。ロールペーパー１のカット端面は、ペーパーカットカバー２の先端部で切れ、次のロールペーパー１を引き出すのに、その端面は、つかみ難い。また、ロールペーパー１の残量が少なくなり、外径が小さくなると、ペーパーカットカバー２の先端部と、ロールペーパー１とが、接触しなくなると、ロールペーパー１は、更に、カットされ難くなる。
【発明の開示】
【発明が解決しようとする課題】
【０００３】  本発明は、従来の構成が有している問題点を解決しようとするものである。即ち、ロールペーパー１を引き出し、ペーパーカットカバー２を手で押さえ、カットする時、切れ味よく、カットできるようにしたい。また、次に、ロールペーパー１を引き出す時、カット端面をつかみよくしたい。更にまた、ペーパーカットカバー２を持ち上げたり、押さえたりし易いようにしたい。これを実現することを目的とするものである。
【発明が解決するための手段】
【０００４】本発明は、従来のトイレロールペーパーホルダーのペーパーカットカバー２の先端に、接着して使用するペーパーカッターであって、先端Ｖ字状のカットエッジ５−１と、ハンドル突起５−３とを有するロールペーパーカット板５を構成した。
【発明の効果】
【０００５】１；ロールペーパー１を、引き出し、上方に引き上げれば、切れ味よく、カットされる。
２：次に、ロールペーパー１を引き出す時、端面がつかみ易い。
３：ハンドル突起５が設けられ、ロールペーパーカット板５が、持ち上げ易く、また、押さえ易い
４；デザインされ、おしゃれである。
５；プラスッチク製で、安全である。
６：従来のロールペーパーホルダーに、接着使用できる。
【発明を実施するための最良の形態】
【０００６】以下、本発明の実施の形態を図５、図６に基づいて説明する。
図５は、本発明のロールペーパーカット板５を、従来のロールペーパーホルダーに接着した時の見取り図である。図６は、その側面図である。従来の、ペーパーカットカバー２の先端に、本発明、ロールペーパーカット板５の一端に、予め設けられた両面接着テープ５−２の保護紙を剥がし、ペーパーカットカバー２の先端に、図６のように、接着して、使用する。
次に、使用法について説明する。まず、ハンドル突起５−３を指で持ち上げ、ロールペーパー１の端面をつかみ、下方に適量引き出す。次に、ハンドル突起５−３を指で下方に押さえながら、上方に、引き上げれば、スパッと切れ味よく、カットされる。次に、カットする時は、ハンドル突起５−３を指で持ち上げれば、ロールペーパーの端面は垂れ下がっているので、つかみ易い。図６に於いて、ペーパーカットカバー２の先端に、本発明、ロールペーパーカット板５が、両面接着テープ５−２で、接着されているが、これを一体で構成されてもよいことは、言うまでもない。
【実施例】
【０００７】以下、本発明、ロールペーパーカット板５の一実施例を図面により説明する。
図３は、本発明、ロールペーパーカット板５の見取り図を示す。
図４、Ａはその側面図。Ｂは、その正面図を示す。５−１は、ロールペーパー１をカットし易いようにＶ字状カットエッジである。そのＶ字先端の角度は１３０位に構成している。また、図３に示すように、ハンドル突起５−３が設けられている。また、他の一端裏面には、接着するための、両面接着テープ５−２が設けられている。【０００８】（図７）は、本発明を応用した、ロールペーパーボックスの見取り図を示す。
（図８）】図７の側面断面図を示す。１２−１は、Ｖ字状カットエッジである。１０−１はロールペーパー１を保持する溝である。１１は前カバーである。
【図面の簡単な説明】
【０００９】
【図１】従来のロールペーパーホルダーの見取り図。
【図２】図１の側面図。
【図３】本発明の、ロールペーパーカット板５の見取図。
【図４】Ａは、図３の側面図。Ｂは、その正面図
【図５】本発明のロールペーパーカット板５を、従来のロールペーパーホルダーに接着した時の見取り図
【図６】図５の側面図。
【図７】本発明を応用した、ロールペーパーボックスの見取り図を示す。
【図８】図７の側面断面図。
【符号の説明】
【００１０】１；ロールペーパー    ２；ペーパーカットカバー        ２−１；ピン
３；ロールペーパーホルダー          ４  ロールペーパー心棒
５：ロールペーパーカット板        ５−１：先端Ｖ字状カットエッジ
５−２：両面接着テープ            ５−３：突起ハンドル
１０：ボックス側板    １１：前カバー  １２：Ｖ字状ロールペーパーカットカバー
【図１】
2013066673.tif 000003
【図２】
2013066673.tif 000004
【図３】
2013066673.tif 000005
【図４】
2013066673.tif 000006
【図５】
2013066673.tif 000007
【図６】
2013066673.tif 000008
【図７】
2013066673.tif 000009
【図８】
2013066673.tif 000010
(57)【要約】【課題】角度の調整可能な二つの持ち手を設けた、楕円状の物干しのできる事を特徴としたバケツを提供する。【解決手段】バケツ本体の底と開口部をやや楕円形の形状にし、バケツの底の長径が靴をストンと置ける程度に形成し、バケツの側面にもしくは開口部縁に左右対称に持ち手を２本設け、持ち手の角度を複数段階に調整可能にし、持ち手部に雑巾や小物を干す事ができることを特徴とする物干しのできるバケツ。【選択図】図３
2013066679.tif 000002
【特許請求の範囲】
【請求項１】
バケツ本体の底と開口部をやや楕円形の形状にし、バケツの底の長径が靴をストンと置ける程度に形成し、バケツの側面にもしくは開口部縁に左右対称に持ち手を２本設け、持ち手の角度を複数段階に調整可能にし、持ち手部に雑巾や小物を干す事ができることを特徴とする物干しのできるバケツ。
【発明の詳細な説明】
【技術分野】
【０００１】  本発明は、持ち手に雑巾や小物を干す事のできる楕円みを帯びた形状のバケツである。
【背景技術】
【０００２】  通常使用後の雑巾は、バケツの側壁に掛け干ししたりして済ませている事が多い。
持ち手に雑巾を干すことのできるバケツも知られている。（特許文献１参照）。
【特許文献１】  特開平２００３−２０４８９０号公報
【発明の開示】
【発明が解決しようとする課題】
【０００３】  そのために、次のような問題点があった。
（イ）通常のバケツは形がほぼ正円形のため、スリッパやズック靴等を丸洗いしたくても縦に立たせてに入れないと丸ごと中に入らないため洗いづらい。
（ロ）特許文献１（図４）のバケツは移動させる場合、一般的なバケツに付いているハンドル状の持ち手が無く、開口縁を少し外側に出っ張らせて持ち手にしている為、片方のみに重心が掛かり相当の力を必要とする。
この三日月状の持ち手は狭いので、持ち上げるとき無造作に手を突っ込む事もできないので、とても持ちづらいように感じる。
中に入れた物が軽い物ならヒョイと持ち上げて移動できるだろうが、水を入れた場合、けっこうな重さになるので移動が難しいのではないかと思われる。
掃除中の雑巾の洗い絞りは、置いたバケツを動かさないようにして、使う人間が行ったり来たりして洗い絞りをするとしたら非効率的である。
いずれにしてもハンドル状の持ち手がないのは非常に不便である。
（ハ）持ち手に雑巾を掛ける事ができるとの事だが、三日月状の持ち手の部分が狭いため、雑巾を干すためには折り畳んで干さなければいけない。そのため乾きにくく、特に梅雨時のじめじめした季節には黒かび発生の懸念が生じ、衛生面での心配があり、見た目にも良くない。
本発明は、これらの問題点を解決するためになされたものである。
【課題を解決するための手段】
【０００４】  バケツ本体の底と開口部をやや楕円形の形状にし、バケツの底の長径が靴をストンと置ける程度に形成し、バケツの側面、もしくは開口部縁に左右対称に持ち手を２本設け、持ち手の角度を複数段階に調整可能にし、持ち手部に雑巾や小物を干す事ができる。
以上を特徴とする物干しのできるバケツ。
【発明の効果】
【０００５】  バケツがやや楕円状なのでスリッパやズック靴等を横にしたまま丸ごと入れる事ができ、丸洗いしやすい。
雑巾を干す場所は、あんがい有りそうで無い。普段使いの物に雑巾を一緒に干したくは無いし、わざわざ雑巾の為にタオル掛けを購入するまでも無い。たいがいは畳んでバケツのヘリに掛けておくか、空になったバケツの上に広げて覆いかぶせるか、で済ませている。乾いた雑巾を取り込んだ時にバケツの円形の形が残っていた、・・・なんていう事は経験している方も多いのではないだろうか。「雑巾だからまぁいいか」と思っているが、毎日の事だし、どうせ干すならいびつな形に干しあがるよりもキチンとした形にでき上がった方が畳みやすく気分がいい。それに広げて干した方が早く乾き、日光に当てたら日光消毒にもなり、カビの発生も防げ衛生的である。
バケツの持ち手２本を垂直に立てた状態にして雑巾を広げて干す事により早く乾き安定して干すことができ、歪みも無く畳みやすい。雑巾だけではなく靴下などの小物も持ち手に掛けて干す事ができる。
持ち手が複数段階に角度を調整できる為１８０度の角度にして干した場合は、乾くのも早く、持ち手の上に網や、薄い板をのせ、スリッパやズック靴を干す事もできる。（図４参照）
スリッパやズック靴以外にも、ピンチで留めて干すと形が歪みやすい手袋等の小物のニット製品も形を整えて乾かすこともできる。
【発明を実施するための最良の形態】
【０００６】  以下、本発明の実施の形態について説明する。
（イ）バケツ本体（１）の両側面に持ち手（２）を設ける。
（ロ）持ち手（２）は角度が調整できるので干す物により掛けやすい角度に倒す事ができる。
本発明は以上のような構成で、これを使用するときは、バケツ本体（１）の持ち手（２）を垂直にするか、またはその他の角度に固定して、使用後の雑巾やその他のものを干す。
【図面の簡単な説明】
【０００７】
【図１】本発明の斜視図
【図２】本発明の実施例を示す斜視図
【図３】本発明の実施例を示す斜視図
【図４】本発明の実施例を示す斜視図
【符号の説明】
【０００８】    １  バケツ本体
２  持ち手
３  開口部
４  底
【図１】
2013066679.tif 000003
【図２】
2013066679.tif 000004
【図３】
2013066679.tif 000005
【図４】
2013066679.tif 000006
(57)【要約】【課題】被痴呆介護者の、時間に関係なく徘徊する行為を無くし、健康維持の歩行運動が出来て、本人の健康および介護する人々の負担軽減に寄与する。【解決手段】  ルームランナー（１）に傾斜手段（４）を設ける。つぎに該ランナーの後端部にハンドラー（５）を装着した、支持アーム（２）を設ける。またルームランナー（１）の先端部に制御ボックス（６）を設ける。最後に制御配線を施して完成する。【選択図】図２
2013066675.tif 000002
【特許請求の範囲】
【請求項１】
ルームランナー（１）に傾斜手段（４）を設け、さらにその後端部にハンドラー（５）を装着した、支持アーム（２）を設ける、またルームランナー（１）の先端部に制御ボックス（６）を設け、そして配線を施してなる、被介護者用歩行運動装置。
【発明の詳細な説明】
【技術分野】
【０００１】  本発明は、介護施設内での徘徊する被介護痴呆者の為の、歩行運動に関する補助技術である。
【背景技術】
【０００２】  従来は、介護施設内を時間や場所に関係なく、被介護痴呆者は徘徊をしていた。
【発明の開示】
【発明が解決しようとする課題】
【０００３】  現在、介護施設では徘徊する被介護痴呆者の管理が大変なテーマであった。
常時、介護者は徘徊する痴呆老人等の行動に目を離せなかった。この為に、夜中であろうと、徘徊者の付き添いの介護をする事になる。最近では特許の公開公報で、徘徊者に電波発信器を持たして、介護人が数人の徘徊者の行動を監視する、装置とかが出願公開されている。しかしながら、徘徊者を放置する訳にはいかず、ベッド等に連れ戻したりする必要がある。連れ戻しても、またまた徘徊する老人等は普通であり、あとを絶たない、なんともその介護には苦労する。
これら課題を解決するために本発明はなされたのである。
【課題を解決するための手段】
【０００４】  本発明によると被介護痴呆者は徘徊に於いて、少し運動になった場合は、介護人がベッドに連れ戻すと、そのまま朝までグッスリと寝てしまう事に気が付いたのである。それで本発明は、被介護痴呆者用でも歩行運動が可能なものを簡単な構造構成で形成する事になった。以下解決手段を説明する。まず特別擁護老人ホーム等の施設内の廊下や室内に置いて使用できる、ルームランナー（１）に、坂道の上り下りを想定した状況を作り出す、傾斜手段（４）を設ける。この傾斜手段はモーター等を制御して駆動させる。さらに該ランナーの後端部には、被痴呆介護者（３）の体を保持して、安全に該ランナーの上で歩行できるようにした、ハンドラー（５）を装着した、支持アーム（２）を設ける。さらに該ランナーの先端部にルームランナー（１）の本体を前に傾斜させたり、後ろに傾斜させたりして、坂道歩行を作り出したり、歩行速度を変えたりコントロールを行う、制御ボックス（６）を設ける。最後に回路配線を施して設ける。
本発明は、以上のような構成および特徴よりなる、被介護者用歩行運動装置である。
【発明の効果】
【０００５】  各部屋の被痴呆介護者（３）に、一定のスケジュールで安全に歩行運動をさせる事が出来運動後は、被痴呆介護者はよく寝るようになり、被介護者の健康に寄与した。
また介護人の負担苦労が軽減した。
【発明を実施するための最良の形態】
【０００６】  図１のごとく構造構成は極めてシンプルに形成されている。まず特別擁護老人ホーム等の施設内の廊下や室内に置ける、ルームランナー（７）に傾斜手段（４）を設ける、これはルームランナー（７）を傾斜させて、歩行運動者の坂道の上り下りを作り出して、体験させるためである。これにより歩行運動がより良く達成できるようにしてある。次に、該ランナーの後端部にハンドラー（５）を装着した、支持アーム（２）を設ける。このハンドラー（５）は被痴呆介護者（３）の腰部を固定して、歩行運動の際の体を安全に支持するものである。さらに、これらの速度や停止等および傾斜角度を制御する、制御ボックス（６）をルームランナー（１）の先端部に設置して設ける。そして最後に、これら全体に配線を施工して設ける。
本発明は以上のような構成であり、これを使用せんとするときには、【０００７】  スケジュール管理表等により、歩行運動が必要な、その被痴呆介護者（３）を選びルームランナーに利用者を乗せて、腰部等にハンドラー（５）を装着する。
そして制御ボックスで操作し、強制歩行運動を実施する。つまり介護人により決定されて、施設内でも徘徊気分で歩行運動が始まる。このようにして、利用者は何人でも安全に、歩行運動ができ、十分な適正の運動になり、ハンドラー（５）から開放された利用者は、次々と介護ルーム（４）で快適な睡眠がとれるのである。
【図面の簡単な説明】
【０００８】
【図１】  本発明の実施構成説明図である。
【図２】  本発明の斜視図である。
【符号の説明】
【０００９】    １  ルームランナー
２  支持アーム
３  被痴呆介護者
４  傾斜手段
５  ハンドラー
６  制御ボックス
【図１】
2013066675.tif 000003
【図２】
2013066675.tif 000004
(57)【要約】【課題】従来、洗面器等は水や湯を扱う道具として普及しているが、扱う水温および湯温を知らせながら、利用される洗面器はなかった。【解決手段】洗面器（１）に、温度計（２）を見易い位置に、装着固定する。【選択図】図１
2013066676.tif 000002
【特許請求の範囲】
【請求項１】
洗面器（１）に、温度計（２）を装着設けて成る、温度計付き洗面器。
【発明の詳細な説明】
【技術分野】
【０００１】  本発明は、洗面器に注ぎ込む、お湯等の温度がすぐに判別できる技術に関する。
【背景技術】
【０００２】  日頃、洗面器に注ぐお湯等の温度は手感覚で済ましている。
【発明の開示】
【発明が解決しようとする課題】
【０００３】  普段の生活では、顔を洗ったり、手を洗ったり、からだに湯を流したり、あまり意識せずに洗面器を利用している。つまり、この利用している水や湯の温度等は、あえて意識せず普通に扱っているのは事実である。しかし時々、温泉などで噴出している、目の前の、温泉の温度を知りたいと思ったり、赤ちゃんに使う湯等の温度をその場で知りたいとか、こんな時に、なかなか温度計などは傍にある人は、ほとんど皆無である。こんな時に常に温度計を具備した洗面器に、湯など入れるだけで温度がわかれば、多目的に利用されて便利で楽しい生活具になると思われる。
これら課題を解決するために本発明はなされたのである。
【課題を解決するための手段】
【０００４】  本発明は、洗面器（１）に、温度計（２）を装着固定して設けたものである。
本発明は、以上のような特徴からなる、温度計付き洗面器である。
【発明の効果】
【０００５】  なにげなく水および湯等を洗面器に、注いで今までは使用していたが、温度計が付いているので、今使っている水、湯等の扱い温度が目にとまり、自然と温度管理に目が行くようになり、子どもに対しても温度意識や安全感覚が養われ、それらの扱い感覚が大いに向上する。また、温度意識を持った洗面器と云うことで、多目的に広範囲に、且つ、シンプル構成であるから低価格で高付加価値製品として、大幅に需要が伸びると思われる。
【発明を実施するための最良の形態】
【０００６】  本発明は極めて簡素な期待から生まれたもので、例えば赤ちゃんに注ぐ湯の温度を知りたいが、通常使っている洗面器に湯を入れて、温度計を差し込んで調べるなど面倒であり、意外と日常では温度計は持っていないのが現状である。つまり以下構成を説明する。洗面器（１）の適当なる位置に、温度計（２）を装着固定して設ける。つまり、洗面器の目にとまる位置に、温度計をセットして固定する。
本発明は以上のような構成であり、これを使用せんとするときには、【０００７】  洗面器（１）に水および湯を、注ぎ込むだけで、温度計（２）がその温度を表示する。このようにして、扱っている洗面器（１）の中の温度は自然に把握確認する生活の一部になってくるのである。
【図面の簡単な説明】
【０００８】
【図１】  本発明の斜視図である。
【符号の説明】
【０００９】  １  洗面器
２  温度計
【図１】
2013066676.tif 000003